(57)【要約】      （修正有）【課題】自然エネルギーは気象条件等により、安定したエネルギー供給が困難である。この不安定要素を帯びなうため、重力を用いた人工エネルギーを併用する。【解決手段】１本の棒の支点が中心にある場合は均衡がとれていて何も動作はしないが、支点を一方の端部Ａ点の方向に移動させると、支点と他方の端部Ｂ点間の支点距離が長くなり、棒はＢ点側が重くなることで下方に移動する。つまり支点が中心からＡ点側へ移動した分の落下エネルギーを得ることができる。さらに継続的にエネルギーを得るためには、複数アームを取り付けることで、連続したエネルギーを見出すことができる。【選択図】図３
2013164060.tif 000002
【特許請求の範囲】
【請求項１】
落下するエネルギーを変形シリンダーによりアームの支点距離を最適な位置に変えることで常に落下する側を重くし回転力を増すことができる。
【請求項２】
継続的に回転力を得るため複数落下アームを設けることによって安定した回転力を見出せる。
【請求項３】
燃料を使用しない。
【請求項４】
どこでも可能な限り容易に出力を取り出すことができる。
【発明の詳細な説明】
【技術分野】
【０００１】  本発明は、物体が落下するエネルギーを回転に変えることで、回転力を見出すことができる出力装置。
【背景技術】
【０００２】  従来のエネルギーは化石燃料の依存率が高く、ＣＯ２が発生し環境問題となっています。【０００３】  これらの脱却のため、国を挙げ風力・太陽熱等の自然エネルギーに転換しようと努力されていますが、自然のエネルギーは晴れたり雨が降ったり、また風が出ない時等、不安定な気象条件により安定したエネルギーの供給ができません。
【発明の開示】
【発明が解決しようとする課題】
【０００４】  上記課題の解決を図るためには不安定要素を補うこと。【０００５】  化石化依存を無くすためには、自然エネルギーと共に、人工エネルギーを併用していく。
【課題を解決するための手段】
【０００６】  上記に述べた人工エネルギーの解決を図るためには、図１に描かれているシーソー原理を採用することで解決が図れる。【０００７】  １本の棒（Ａ−Ｂ）の支点Ｏが中心にある場合は均衡がとれていて何も動作はしないが、支点ＯをＡ点の方向に移動させると、Ｏ−Ｂ間の支点距離が長くなり、棒はＢ点側が重くなることで二点鎖線のように下がります。【０００８】  つまり支点Ｏが中心からＡ点側へ移動した分の落下エネルギーを得ることができます。【０００９】  さらに継続的にエネルギーを得るためには、複数アームを取り付けることで、連続したエネルギーを見出すことができます。
【発明の効果】
【００１０】  化石燃料を使用しないことで、自然に優しくその上天候等にも左右されず、安価で安定供給ができます。【００１１】  化石燃料の依存が少なくなればＣＯ２の削減効果がある。【００１２】  自然エネルギーを補うことができる。【００１３】  バッテリーと併用すれば、燃料を使用しないエコカーが可能になる。【００１４】  緊急時等にも素早く対応できる。
【発明を実施するための形態】
【００１５】  以下、本発明の実施形態を図面に基づき説明いたします。
【００１６】  変形シリンダー本体２は始動部、ブレーキ部および出力発電８の付属部品から成り立っています。
【００１７】  変形シリンダー２は強制的に支点距離を移動させるシリンダーです。
【００１８】  変形シリンダー２内には４本の落下スライドアーム１を設け、それぞれ落下するスライドアーム１は交差しないように等間隔に集約ドラム５に貫通させ、また落下スライドアーム１がスムーズに移動ができるよう集約ドラム５の出口部分にはスライドコロ２０を設けています。
【００１９】  一方落下スライドアーム１の両端には重りを兼ね、スムーズに回転できるようアームコロ３を設けています。
【００２０】  またアームコロ３が軌道から外れないよう案内リング６を設けています。
【００２１】  起動前、ブレーキハンドル４を反時計方向に回すと、正転ネジ１４と逆転ネジ１３が同時に回転され、戻しバネ１１によりスプライン１２を返し、デスクアーム１５が左右に開き、デスクパット１０もデスク板９から離れ、ブレーキがゆるむ。（図はゆるんでいる状態を示す。）
【００２２】  一方回転力を増すためにコイルスターター（市販のコイルスターターを利用）１７のスターター・ロープ１９を引っ張ることにより変形シリンダー２内にそってそれぞれの落下スライド１が時計方向に回転を始める。
【００２３】  以後は作動原理図２を中心に説明していきます。
【００２４】  落下スライドアーム１は１ａ地点に差し掛かると、変形シリンダー２によりアームコロ３によって強制的に押し上げられてくるが、支点距離は上下同じ長さのため落下は発生しない。
【００２５】  さらに次の１ｂ地点に進むと、変形シリンダー２よりアームコロ３が押し出され、図に向かって右斜めの方向に落下スライド１が押し上げられてくることで、支点距離は最長の長さとなり、そのため落下スライドアーム１は重くなり時計方向に回転を始める。
【００２６】  次の１ｃ地点に進むと、落下スライドアーム１の支点距離は最長の長さを保ちつつ、最大の落下する力が得られます。
【００２７】  次の１ｂ地点に進むと、落下スライドアーム１の支点距離は最長の長さを保ちますが、落下する力は収束に向かいます。
【００２８】  引き続き落下を続けようとする力によって、落下スライドアーム１は変形シリンダー２により、徐々に押し上げられていきます。
【００２９】  また、落下スライドアーム１は等間隔となっているため、次々とこの動作を繰り返すことで落下回転が始まり、集約ドラム５を通じ、出力軸７を介し出力発電機８を回転させます。
【００３０】停止を行う場合は、ブレーキハンドル４を時計方向に回していくとブレーキが働き、各落下スライドアーム１も停止となります。
【図面の簡単な説明】
【００３１】
【図１】  シーソーアームの原理図
【図２】  落下スライドアームの作動原理図
【図３】  本発明の変形シリンダーの図４側面におけるＣ−Ｃ線部分断面図
【図４】  同変形シリンダーの図３におけるＡ−Ａ線断面図
【図５】  同変形シリンダーの図３におけるＢ−Ｂ線断面図
【図６】  同変形シリンダーの出力発電機側から見た斜視図
【符号の説明】
【００３２】  １    落下スライドアーム
２    変形シリンダー
３    アームコロ
４    ブレーキハンドル
５    集約ドラム
６    案内リング
７    出力軸
８    出力発電機
９    デスク板
１０  デスクパット
１１  戻しバネ
１２  スプライン
１３  逆ネジ
１４  正ネジ
１５  デスクアーム
１６  取付けボルト穴
１７  コイルスターター
１８  油抜き栓
１９  スターター・ロープ
２０  スライドコロ
２１  アームコロ・ピン
２２  ベアリング
【図１】
2013164060.tif 000003
【図２】
2013164060.tif 000004
【図３】
2013164060.tif 000005
【図４】
2013164060.tif 000006
【図５】
2013164060.tif 000007
【図６】
2013164060.tif 000008
【手続補正書】
【提出日】平成25年5月9日(2013.5.9)
【手続補正１】
【補正対象書類名】特許請求の範囲
【補正対象項目名】全文
【補正方法】変更
【補正の内容】
【特許請求の範囲】
【請求項１】
回転落下する側の各アームの支点距離を最適位置に保つことで、常に押し上げられる側のアームよりも、落下する側のアームを重くすることで回転を見出すことができる装置
【請求項２】
請求項１記載のそれぞれのアームが交差しないように等間隔で角度をずらし集約ドラムに貫通させるのと同時に集約ドラムは円の中心より外方に移動させることで、常に落下する側のアームの支点からの距離を長く（重く）するよう変形シリンダーでコントロールを行っている。
【請求項３】
請求項２記載の回転を継続得るために複数アームを設け、そのアームの重力合成力によって回転力を得る構造となっている。
【請求項４】
燃料がなくても、重力さえあれば、どこでも可能な限り容易に出力を取り出すことができる。
【手続補正３】
【補正対象書類名】明細書
【補正対象項目名】０００１
【補正方法】変更
【補正の内容】
【０００１】  本発明は、物体が落下するエネルギーを回転力に変えた動力発生装置
【手続補正４】
【補正対象書類名】明細書
【補正対象項目名】００２８
【補正方法】変更
【補正の内容】
【００２８】  回転落下してきた落下スライドアーム１は真下に差し掛かると、別の落下スライドアーム１の落下重力で変形シリンダー２により回転しながら押し上げられ、やがて上下の長さが逆転となり、更に押し上げられ落下スライドアーム１の支点からの距離が長くなり回転落下が始まる。この動作を繰返すことで連続回転を得る。
【手続補正５】
【補正対象書類名】明細書
【補正対象項目名】００２９
【補正方法】変更
【補正の内容】
【００２９】  回転エネルギーは各落下スライドアーム１を通じ、集約ドラム５に結集された、動力は出力軸７を介し出力発電機８へ導かれていく。